(57)【要約】【課題】種々の配索経路に対応可能で汎用性に優れたワイヤハーネスを提供する。【解決手段】ワイヤハーネスＷＨは、電線１０が挿通される筒状のパイプ２０を備える。パイプ２０は、長さ方向に分割された複数の分割部２２、２３を有している。電線１０は長さ方向で分岐される。電線１０の分岐位置は分割部２２、２３と対応する位置で規定される。【選択図】図１
2018098129.tif 000002
【特許請求の範囲】
【請求項１】
電線が挿通される筒状のパイプを備え、
前記パイプは、長さ方向に複数分割されて前記電線の分岐位置を規定することが可能な分割部を有していることを特徴とするワイヤハーネス。
【請求項２】
前記パイプを周方向に２分した部分のうち、一方の部分に前記長さ方向に延出する基部を有し、他方の部分に前記複数の分割部を有し、前記複数の分割部と前記基部とが周方向に連結されることで前記パイプが筒状をなす請求項１記載のワイヤハーネス。
【請求項３】
前記複数の分割部が長さを異にする複数種で構成されている請求項１又は２記載のワイヤハーネス。
【請求項４】
前記複数の分割部が、前記長さ方向に長尺の複数の長尺分割部と、前記長さ方向に短尺の少なくとも１つの短尺分割部とからなり、前記複数の長尺分割部のうち、前記長さ方向に並置された２つの長尺分割部の間に、前記少なくとも１つの短尺分割部が配置される請求項３記載のワイヤハーネス。
【請求項５】
前記少なくとも１つの短尺分割部が、前記電線を引き出すことが可能な引出口を有している請求項４記載のワイヤハーネス。
【請求項６】
前記パイプが、前記複数の長尺分割部と対応する部位で曲げられることが可能な形態になっている請求項４又は５記載のワイヤハーネス。 
【発明の詳細な説明】
【技術分野】
【０００１】
本発明は、ワイヤハーネスに関する。
【背景技術】
【０００２】
特許文献１に開示のワイヤハーネスは、複数の電線と、各電線を収容するプロテクタとを備えている。プロテクタは、合成樹脂で一体に成形された本体部を備えている。本体部は、底板部と、底板部の両端から立ち上がる一対の側壁部とからなる。底板部と一対の側壁部との間には、各電線を収容可能な空間が形成されている。一対の側壁部の先端部間となる本体部の開口は、同じく合成樹脂で一体に成形された蓋部によって閉じられる。蓋部に設けられた蓋ロック部が本体部に設けられた蓋ロック受部を係止することにより、蓋部が本体部の開口を閉じた状態に維持される。
【先行技術文献】
【特許文献】
【０００３】
【特許文献１】特開２０１５−１４６６７３号公報
【発明の概要】
【発明が解決しようとする課題】
【０００４】
ところで、例えば、車両に配索されるワイヤハーネスの場合、車両毎に配索経路が異なるため、それぞれの車両に応じてプロテクタを作成する必要がある。このため、成形用の金型も複数必要となり、金型費用が高くなるという問題がある。
【０００５】
本発明は上記のような事情に基づいて完成されたものであって、種々の配索経路に対応可能で汎用性に優れたワイヤハーネスを提供することを目的とする。
【課題を解決するための手段】
【０００６】
本発明は、電線が挿通される筒状のパイプを備え、前記パイプは、長さ方向に複数分割されて前記電線の分岐位置を規定することが可能な分割部を有しているところに特徴を有する。
【発明の効果】
【０００７】
分割部によって電線の分岐位置を規定することが可能であるため、種々の配索経路に対応可能で汎用性に優れたワイヤハーネスを提供することができる。
【図面の簡単な説明】
【０００８】
【図１】本発明の実施例１のワイヤハーネスにおいて、基部に長尺分割部を取り付ける前の状態を示す斜視図である。
【図２】ワイヤハーネスの斜視図である。
【図３】ワイヤハーネスの側面図である。
【図４】図３のＡ−Ａ線断面図である。
【図５】図３のＢ−Ｂ線断面図である。
【図６】曲げ加工されたワイヤハーネスの斜視図である。
【図７】短尺分割部の斜視図である。
【図８】短尺分割部の平面図である。
【図９】短尺分割部の底面図である。
【発明を実施するための形態】
【０００９】
本発明の好ましい実施形態を以下に示す。  
前記パイプを周方向に２分した部分のうち、一方の部分に前記長さ方向に延出する基部を有し、他方の部分に前記複数の分割部を有し、前記複数の分割部と前記基部とが周方向に連結されることで前記パイプが筒状をなすとよい。これによれば、基部に電線を沿わせた状態から各分割部と基部とを連結させることができるため、配索の作業性が良好となる。また、基部を基準として各分割部の長さ方向の位置を決めることができる。
【００１０】
前記複数の分割部が長さを異にする複数種で構成されているとよい。これによれば、長さを異にする複数種の分割部の組み合わせによってより多様な配索パターンを形成することができる。
【００１１】
前記複数の分割部が、前記長さ方向に長尺の複数の長尺分割部と、前記長さ方向に短尺の少なくとも１つの短尺分割部とからなり、前記複数の長尺分割部のうち、前記長さ方向に並置された２つの長尺分割部の間に、前記少なくとも１つの短尺分割部が配置されるとよい。これによれば、短尺分割部と対応する位置を配索経路の分岐位置にすることができる。
【００１２】
前記少なくとも１つの短尺分割部が、前記電線を引き出すことが可能な引出口を有しているとよい。これによれば、短尺分割部の引出口から電線を引き出すことにより、分岐回路を容易に形成することができる。
【００１３】
前記パイプが、前記複数の長尺分割部と対応する部位で曲げられることが可能な形態になっているとよい。これによれば、種々の配索パターンに応じてパイプを曲げ加工することができ、汎用性をより高めることができる。
【００１４】
＜実施例１＞
以下、実施例１を図面に基づいて説明する。  
本実施例１のワイヤハーネスＷＨは、図示しない車両に搭載された機器間をつなぐように配索されるものであって、複数の電線１０と、各電線１０が挿通される長尺筒状のパイプ２０とを備えて構成される。
【００１５】
各電線１０は、比較的小電流が流れる低圧電線とされ、複数の芯線と、各芯線の周囲を被覆する絶縁被覆とからなる。各電線１０の長さ方向端部（両端部）はコネクタ８０に接続されている。コネクタ８０は、機器側の図示しない相手コネクタに嵌合可能とされている。図１に示すように、各電線１０の長さ方向途中の複数箇所は、幹線１１から支線１２が分岐される分岐箇所になっている。各支線１２の端部は分岐コネクタ８５に接続されている。
【００１６】
パイプ２０は、細長く延出する円筒状をなし、内部に挿通される各電線１０（幹線１１）を保護するに足る剛性を有している。このパイプ２０は、全長にわたる長さをもった１つの基部２１と、長さ方向に分割された複数の分割部２２、２３とから構成される。
【００１７】
基部２１は、アルミニウム又はアルミニウム合金等の金属製であって、パイプ２０を周方向に２分した部分のうち、一方の部分となるパイプ２０の下半部を構成しており、断面Ｕ字形状、詳細には断面半円弧状の樋状に形成されている。基部２１の周方向端部（両端部）には、全長にわたって同一高さで連なる嵌合受部２４が設けられている。図４及び図５に示すように、嵌合受部２４は、パイプ２０の内側に突出する突条部２５を有している。突条部２５は、基部２１の周方向端部の厚み方向内側で上下方向に沿うように切り立つき起立面２６と、パイプ２０の内側へ向けて湾曲する半周面２７とを有し、断面半円状をなしている。嵌合受部２４は、基部２１の周方向端部における径方向に沿った端面部分と突条部２５の起立面２６との間に、断面略Ｌ字形状の凹所２８を形成している。
【００１８】
各分割部２２、２３は、長さ方向に連鎖状に並置され、全体としてパイプ２０を周方向に２分した部分のうち、他方の部分となるパイプ２０の上半部を構成している。具体的には、各分割部２２、２３は、複数の長尺分割部２２と、複数の短尺分割部２３とからなる。
【００１９】
長尺分割部２２は、金属製であって、好適には基部２１と同じ材質（アルミニウム又はアルミニウム合金等）で形成されている。この長尺分割部２２は、断面Ｕ字形状、詳細には断面半円弧状をなし、長さ方向に関して短尺分割部２３よりも十分長い長さで形成されている。本実施例１の場合、長尺分割部２２は、長さ方向の全長にわたって同一の断面形状をなし、断面Ｕ字形状の一つの長尺母材を切断して形成される。
【００２０】
長尺分割部２２の周方向端部は、全周にわたって同一高さで連なり、図４に示すように、嵌合受部２４の凹所２８に適合して嵌合可能とされている。長尺分割部２２の周方向端部が嵌合受部２４の凹所２８に嵌合され、その嵌合部位が溶接等して接合されることにより、長尺分割部２２と基部２１とが周方向に連続して円筒形状に形成される。。このとき、長尺分割部２２の外周面と基部２１の外周面とは周方向にほぼ段差なく連続するようになっている。
【００２１】
図１及び図２に示すように、短尺分割部２３は、長さ方向に並置された２つの長尺分割部２２の間で、且つ各電線１０の分岐箇所と対応する位置に設置される。短尺分割部２３は合成樹脂製であって、長さ方向及び周方向の中央部に、円形の引出口２９が開口して設けられている。各電線１０の支線１２は引出口２９から引き出されるようになっている。
【００２２】
図７〜図９に示すように、短尺分割部２３は、外周部３１と内周部３２とが径方向に一体に積層された形態になっている。外周部３１は、径方向外側に位置し、内周部３２は、径方向内側に位置している。
【００２３】
図５に示すように、外周部３１は、内周部３２よりも径方向の厚みが大きく、長尺分割部２２の径方向の厚みとほぼ同一とされ、長尺分割部２２と段差無く連続している。また、外周部３１は、内周部３２よりも周長が大きくされている。外周部３１の周方向端部は、内周部３２の周方向端部よりも周方向外側に突出して配置され、内周部３２の周方向端部との間に段差を形成している。
【００２４】
図９に示すように、内周部３２は、長さ方向に関して外周部３１よりも長くなっている。図７及び図８に示すように、内周部３２の長さ方向端部（両端部）は、外周部３１の長さ方向端部から突出するラップ部３３とされている。短尺分割部２３が長尺分割部２２に隣接して配置されると、ラップ部３３が長尺分割部２２の長さ方向端部に覆われ、ラップ部３３と長尺分割部２２とが径方向に重なり合って連結される。なお、本実施例１の場合、各短尺分割部２３は、互いに同一形状とされている。また、各短尺分割部２３は、長さ方向及び周方向に関して対称な形状とされている。
【００２５】
次に、本実施例１のワイヤハーネスＷＨの組み付け方法及び作用効果を説明する。  
各分割部２２、２３を基部２１に取り付けるのに先立ち、各電線１０が基部２１に沿って配索される。このとき、各電線１０の幹線１１の長さ方向端部が基部２１の長さ方向端部から突出する。各電線１０の幹線１１の長さ方向端部には適宜のタイミングでコネクタ８０が接続される。
【００２６】
続いて、基部２１に対し各電線１０の分岐箇所と対応する位置に短尺分割部２３が設置される。図５に示すように、短尺分割部２３は、外周部３１の周方向端部が基部２１の嵌合受部２４の凹所２８に嵌合され、内周部３２の周方向端部が嵌合受部２４の突条部２５の先端部に当接可能に配置されることで径方向に位置決めされる。その状態で、各電線１０の支線１２が短尺分割部２３の引出口２９から引き出される。各電線１０の支線１２の長さ方向端部には適宜のタイミングで分岐コネクタ８５が接続される。なお、引出口２９は、分岐コネクタ８５を挿通可能な開口径で形成されている。
【００２７】
次いで、図１から図２にかけて示すように、基部２１に長尺分割部２２が取り付けられる。この場合、長尺分割部２２の長さ方向端部が短尺分割部２３のラップ部３３を覆うように設置される。長尺分割部２２の周方向端部が基部２１の嵌合受部２４の凹所２８に嵌合されることで、長尺分割部２２が基部２１に対して径方向に位置決めされる。
【００２８】
次いで、長尺分割部２２と基部２１との嵌合部位が超音波溶接やスポット溶接等して接合される。これにより、長尺分割部２２と基部２１とが周方向に連結されるとともに、短尺分割部２３が長尺分割部２２を介して基部２１に離脱規制状態に保持される。こうして直線状に延出する円筒状のパイプ２０が形成される。なお、図４に示すように、各電線１０は、嵌合受部２４の突条部２５の半周面２７と干渉する可能性があるものの、半周面２７が曲面状に形成されているため、突条部２５との干渉に起因して損傷するおそれは少ない。
【００２９】
次いで、上記によって直線状に形成された円筒状のパイプ２０がベンダー機で曲げ加工される。この場合、図示しない車両の設置個所に応じて、パイプ２０の長さ方向のうち、長尺分割部２２に対応した適宜箇所（一箇所又は複数箇所）を曲げることができる。これにより、長尺分割部２２に、例えば、図６に示すような屈曲部３４が形成される。ワイヤハーネスＷＨは、屈曲部３４を介して二次元又は三次元状に配索されることになる。
【００３０】
以上説明したように本実施例１によれば、電線１０が挿通される筒状のパイプ２０を備え、パイプ２０が長さ方向に複数分割されて電線１０の分岐位置を規定することが可能な分割部２２、２３を有しているため、種々の配索経路に対応可能で汎用性に優れたワイヤハーネスＷＨを提供することができる。
【００３１】
また、パイプ２０を周方向に２分した部分のうち、一方の部分となる下半部に長さ方向に延出する基部２１を有し、他方の部分となる上半部に複数の分割部２２、２３を有し、複数の分割部２２、２３と基部２１とが周方向に連結されることでパイプ２０が筒状に形成されるから、基部２１に電線１０を沿わせた状態から各分割部２２、２３を基部２１に連結させることができ、配索作業性が良好となる。また、基部２１を基準として各分割部２２、２３の長さ方向の位置を決めることができる。
【００３２】
さらに、複数の分割部２２、２３が長さを異にする複数種、詳細には長尺分割部２２及び短尺分割部２３の２種からなるため、これら分割部２２、２３の組み合わせによって多様な配索パターンを形成することができる。
【００３３】
さらにまた、パイプ２０の長さ方向に並置された２つの長尺分割部２２の間に１つの短尺分割部２３が配置されているため、短尺分割部２３と対応する位置で配索経路の分割箇所にすることができる。この場合に、短尺分割部２３に引出口２９が設けられ、電線１０が引出口２９から引き出されるため、幹線１１から支線１２を容易に引き出すことができる。
【００３４】
さらにまた、パイプ２０が各長尺分割部２２と対応する部位で曲げられることが可能な形態になっているため、種々の配索パターンに応じてパイプ２０を曲げ加工することができ、汎用性をより高めることができる。
【００３５】
＜他の実施例＞
以下、他の実施例を簡単に説明する。  
（１）本発明は、長さ方向に並置された長尺分割部間に、短尺分割部が存在せずに単なる空間が形成され、この空間から電線を引き出すことが可能となるものであってもよい。
（２）本発明は、短尺分割部と長尺分割部のうちのいずれか一方がパイプの半周を超え、他方が半周を超えない周長で形成されるものであってもよい。  
（３）本発明は、パイプの長さ方向に並置された２つの長尺分割部の間に２つ以上の短尺分割部が配置されるものであってもよい。  
（４）本発明は、複数の長尺分割部が短尺分割部を挟まずに長さ方向に連続して配置される部分を含むものであってもよい。  
（５）本発明は、複数の長尺分割部が、形状、長さ寸法を異にする複数種で構成されるものであってもよい。  
（６）本発明は、複数の短尺分割部が、形状、長さ寸法を異にする複数種で構成されるものであってもよい。この場合に、短尺分割部には、引出口等の電線を引き出す構造を有さないものが含まれていてもよい。  
（７）本発明は、長尺分割部及び短尺分割部とは異なる長さの１種又は複数種の分割部をさらに含んでパイプが形成されるものであってもよい。  
（８）本発明は、基部を有さず、複数の円筒状の分割部が長さ方向に連結されてパイプが形成されるものであってもよい。
【符号の説明】
【００３６】
１０…電線
２０…パイプ
２１…基部
２２…長尺分割部（分割部）
２３…短尺分割部（分割部）
２９…引出口
【図１】
2018098129.tif 000003
【図２】
2018098129.tif 000004
【図３】
2018098129.tif 000005
【図４】
2018098129.tif 000006
【図５】
2018098129.tif 000007
【図６】
2018098129.tif 000008
【図７】
2018098129.tif 000009
【図８】
2018098129.tif 000010
【図９】
2018098129.tif 000011